(57)【要約】【課題】操作部を押し込んだ状態で維持する力を低減する。【解決手段】接続機器１の弾性部材４では、一対の腕部４２は、中央部４１の左右両側において下方に延びる。一対の腕部４２の左右方向の間隔は、下方に向かうに従って大きくなる。操作部５は、左右方向に離間して配置されて上下方向に延びる一対の押圧部５３を備える。一対の押圧部５３の左右方向の間隔は上方に向かうに従って小さくなる。操作部５が第１位置に位置する状態では、一対の押圧部５３のうち少なくとも一方の下端部が、一対の腕部４２のうち少なくとも一方の外側面に接触する。操作部５が第２位置に位置する状態では、一対の腕部４２が、左右方向において互いに近づく方向に撓んだ状態で、一対の押圧部５３の間に挟持される。これにより、操作部５をケース２内に押し込んだ状態（すなわち、非結線状態）で維持する力を低減することができる。【選択図】図４
2020181714.tif 000002
【特許請求の範囲】
【請求項１】
電線が接続される接続機器であって、
ケースと、
前記ケースに固定された導電性の端子部と、
前記ケースに取り付けられ、復元力により電線を前記端子部に押し付けて挟持する板バネである弾性部材と、
前記ケースに設けられた上下方向に延びる移動経路に沿って移動することにより前記弾性部材の形状を変更する操作部と、
を備え、
前記弾性部材は、前記電線を前記端子部との間で挟持している結線状態と、前記結線状態よりも撓んで前記端子部との間の前記電線の挟持が解除された非結線状態との間で変形可能であり、
前記操作部は、第１位置において前記結線状態の前記弾性部材に接触し、前記弾性部材との接触状態を維持しつつ前記第１位置よりも下側の第２位置へと押し込まれることにより、前記弾性部材を前記非結線状態へと変形させ、
前記弾性部材は、
上端に位置する折り曲げ部と、
前記折り曲げ部の左右両側において下方に延びるとともに下方に向かうに従って左右方向の間隔が大きくなる一対の腕部と、
を備え、
前記操作部は、左右方向に離間して配置されて上下方向に延びるとともに、上方に向かうに従って左右方向の間隔が小さくなる、または、左右方向の間隔が一定な一対の押圧部を備え、
前記操作部が前記第１位置に位置する状態では、前記一対の押圧部のうち少なくとも一方の下端部が前記一対の腕部のうち少なくとも一方の外側面に接触し、
前記操作部が前記第２位置に位置する状態では、前記一対の腕部が左右方向において互いに近づく方向に撓んだ状態で前記一対の押圧部の間に挟持されることを特徴とする接続機器。
【請求項２】
請求項１に記載の接続機器であって、
前記非結線状態の前記弾性部材の復元力により、前記一対の押圧部の内側面が前記一対の腕部により左右方向に押圧され、
前記一対の押圧部は、前記弾性部材の復元力を部分的に支持することを特徴とする接続機器。
【請求項３】
請求項１または２に記載の接続機器であって、
前記一対の押圧部および前記一対の腕部のうち一方が凸部を有し、
前記一対の押圧部および前記一対の腕部のうち他方が、前記操作部が前記第２位置に位置する状態で前記凸部と嵌合する凹部を有することを特徴とする接続機器。
【請求項４】
請求項１ないし３のいずれか１つに記載の接続機器であって、
前記一対の押圧部の内側面、および、前記一対の腕部の前記外側面のうち少なくとも一方の面が粗面部を有することを特徴とする接続機器。
【請求項５】
請求項１ないし４のいずれか１つに記載の接続機器であって、
前記操作部が前記第２位置に位置する状態では、前記一対の腕部の成す角度は、０°よりも大きくかつ１８０°よりも小さいことを特徴とする接続機器。
【請求項６】
請求項１ないし５のいずれか１つに記載の接続機器であって、
前記操作部が前記第２位置に位置する状態では、前記一対の腕部の下端は、前記一対の押圧部の下端よりも下側に位置することを特徴とする接続機器。
【発明の詳細な説明】
【技術分野】
【０００１】
本発明は、電線が接続される接続機器に関する。
【背景技術】
【０００２】
従来、制御盤等において電線が接続される接続機器として、いわゆるプッシュイン式の接続機器が利用されている。当該接続機器では、ケースの挿入穴に電線が差し込まれると、ケース内に設けられた板バネにより当該電線が導通端子に押し付けられて電気的に接続される。
【０００３】
例えば、特許文献１および特許文献２では、ハウジングに対して進退可能な棒状の操作要素を設け、当該操作要素をドライバー等でハウジング内に押し込むことにより、ハウジング内の板バネを弾性変形させて導通端子から離間させる。そして、板バネが導通端子から離間したオープン状態を維持しつつ、板バネと導通端子との間に電線を挿入する。その後、操作要素の押し込みを解除することにより、板バネが弾性復帰して電線を導通端子との間で挟持する。
【０００４】
しかしながら、特許文献１および特許文献２の接続機器では、上述のオープン状態を維持するためには、一方の手でドライバー等を比較的強い力で押し込んだ状態で維持する必要があり、接続機器の操作性があまり高くない。
【０００５】
そこで、特許文献３では、操作部をケース内に押し込んだ状態で係止することにより、ドライバー等をケースから抜いて操作部に対する押圧力を解除してもオープン状態を維持することができる技術が提案されている。
【先行技術文献】
【特許文献】
【０００６】
【特許文献１】特許第６２２４８３６号公報
【特許文献２】米国特許第９９０５９４３号明細書
【特許文献３】特開２０１８−１１６７７３号公報
【発明の概要】
【発明が解決しようとする課題】
【０００７】
ところで、特許文献３の接続機器では、ケースに係止された操作部を元の位置に戻して弾性部材と導通端子との間に電線を挟持させるために、ドライバー等をケース内に再度挿入し、操作部の位置を変更してケースとの係止を解除する必要がある。すなわち、接続機器に対する電線の接続のために、ドライバー等をケース内に２回挿入することが必要になり、接続機器の操作手順が複雑化する可能性がある。このような接続機器を操作する現場では、接続機器の操作性向上を求める声と、操作手順の簡素化を求める声との双方が存在する。
【０００８】
本発明は、上記課題に鑑みなされたものであり、操作部を押し込んだ状態で維持する力を低減することを目的としている。
【課題を解決するための手段】
【０００９】
請求項１に記載の発明は、電線が接続される接続機器であって、ケースと、前記ケースに固定された導電性の端子部と、前記ケースに取り付けられ、復元力により電線を前記端子部に押し付けて挟持する板バネである弾性部材と、前記ケースに設けられた上下方向に延びる移動経路に沿って移動することにより前記弾性部材の形状を変更する操作部とを備え、前記弾性部材は、前記電線を前記端子部との間で挟持している結線状態と、前記結線状態よりも撓んで前記端子部との間の前記電線の挟持が解除された非結線状態との間で変形可能であり、前記操作部は、第１位置において前記結線状態の前記弾性部材に接触し、前記弾性部材との接触状態を維持しつつ前記第１位置よりも下側の第２位置へと押し込まれることにより、前記弾性部材を前記非結線状態へと変形させ、前記弾性部材は、上端に位置する折り曲げ部と、前記折り曲げ部の左右両側において下方に延びるとともに下方に向かうに従って左右方向の間隔が大きくなる一対の腕部とを備え、前記操作部は、左右方向に離間して配置されて上下方向に延びるとともに、上方に向かうに従って左右方向の間隔が小さくなる、または、左右方向の間隔が一定な一対の押圧部を備え、前記操作部が前記第１位置に位置する状態では、前記一対の押圧部のうち少なくとも一方の下端部が前記一対の腕部のうち少なくとも一方の外側面に接触し、前記操作部が前記第２位置に位置する状態では、前記一対の腕部が左右方向において互いに近づく方向に撓んだ状態で前記一対の押圧部の間に挟持される。
【００１０】
請求項２に記載の発明は、請求項１に記載の接続機器であって、前記非結線状態の前記弾性部材の復元力により、前記一対の押圧部の内側面が前記一対の腕部により左右方向に押圧され、前記一対の押圧部は、前記弾性部材の復元力を部分的に支持する。
【００１１】
請求項３に記載の発明は、請求項１または２に記載の接続機器であって、前記一対の押圧部および前記一対の腕部のうち一方が凸部を有し、前記一対の押圧部および前記一対の腕部のうち他方が、前記操作部が前記第２位置に位置する状態で前記凸部と嵌合する凹部を有する。
【００１２】
請求項４に記載の発明は、請求項１ないし３のいずれか１つに記載の接続機器であって、前記一対の押圧部の内側面、および、前記一対の腕部の前記外側面のうち少なくとも一方の面が粗面部を有する。
【００１３】
請求項５に記載の発明は、請求項１ないし４のいずれか１つに記載の接続機器であって、前記操作部が前記第２位置に位置する状態では、前記一対の腕部の成す角度は、０°よりも大きくかつ１８０°よりも小さい。
【００１４】
請求項６に記載の発明は、請求項１ないし５のいずれか１つに記載の接続機器であって、前記操作部が前記第２位置に位置する状態では、前記一対の腕部の下端は、前記一対の押圧部の下端よりも下側に位置する。
【発明の効果】
【００１５】
本発明では、操作部を押し込んだ状態で維持する力を低減することができる。
【図面の簡単な説明】
【００１６】
【図１】一の実施の形態に係る接続機器の斜視図である。
【図２】接続機器の断面図である。
【図３】接続機器の断面図である。
【図４】接続機器の断面図である。
【図５】接続機器の断面図である。
【図６】接続機器の断面図である。
【図７】接続機器の断面図である。
【図８】接続機器の一部を拡大して示す断面図である。
【図９】接続機器の一部を拡大して示す断面図である。
【図１０】接続機器の一部を拡大して示す断面図である。
【発明を実施するための形態】
【００１７】
図１は、本発明の一の実施の形態に係る接続機器１の斜視図である。図２は、接続機器１の断面図である。図３は、接続機器１を図２中のＩＩＩ−ＩＩＩの位置にて切断した断面図である。接続機器１は、電線９１が接続されるプッシュイン式の接続機器である。接続機器１は、例えば、制御盤等の端子台に利用される。図１では、接続機器１の手前側に薄板状のエンドプレート１１が取り付けられている。また、図１では、複数の接続機器１が連結された状態を二点鎖線にて示す。図２および図３では、電線９１が接続機器１に挿入されていない状態を示す。図２では、断面よりも奥側の構成についても併せて図示している。
【００１８】
以下の説明では、図２中の上下方向および左右方向を、単に「上下方向」および「左右方向」とも呼ぶ。また、図２において紙面に垂直な方向を「厚さ方向」とも呼ぶ。図２は、接続機器１の厚さ方向の略中央における断面を示す。当該上下方向、左右方向および厚さ方向は、接続機器１が使用される際の取付方向とは必ずしも一致する必要はない。また、当該上下方向は、重力方向とも必ずしも一致する必要はない。
【００１９】
接続機器１は、ケース２と、端子部３と、弾性部材４と、操作部５とを備える。ケース２は、端子部３、弾性部材４および操作部５を内部に収容する。ケース２は、例えば樹脂製である。図２に示す例では、ケース２には、それぞれに電線が挿入可能な２つの挿入穴２１が設けられる。また、ケース２の内部には、２つの端子部３と、２つの弾性部材４と、２つの操作部５とが収容されている。換言すれば、接続機器１は、２セットの端子部３、弾性部材４および操作部５を備える。なお、接続機器１は、１セットまたは３セット以上の端子部３、弾性部材４および操作部５を備えていてもよい。
【００２０】
端子部３、弾性部材４および操作部５の各セットは、挿入穴２１に対応して配置される。２セットの端子部３、弾性部材４および操作部５は、形状および大きさ等は互いに同じであり、左右反対向きに配置される。図２中の右側の挿入穴２１に注目すると、端子部３は、挿入穴２１の下端部の右側に位置し、挿入穴２１の下端部から下方に延びる。弾性部材４は、挿入穴２１の下端部から左斜め上方へと延び、さらに左斜め下方へと延びる。操作部５は、挿入穴２１の左側において、弾性部材４の上側に配置される。
【００２１】
端子部３は、ケース２に固定された導電性の部材である。端子部３は、例えば金属製である。図２中の右側の端子部３は、図２中の左側の端子部３と電気的に接続されている。図２および図３に示す例では、当該２つの端子部３は一繋がりの部材である。具体的には、２つの端子部３の下端部が、左右方向に延びる導電性の端子接続部３２により接続されている。
【００２２】
弾性部材４は、ケース２に取り付けられた弾性変形可能な部材である。図２および図３に示すように、弾性部材４は、略帯状の板バネである。弾性部材４は、例えば金属製である。弾性部材４は、導電材料により形成されてもよく、樹脂等の絶縁材料により形成されてもよい。弾性部材４は、例えば、長手方向の中央部４１にて略Ｖ字状または略Ｕ字状に折り曲げられた形状を有する。すなわち、中央部４１は、弾性部材４の長手方向の略中央に位置する折り曲げ部である。弾性部材４は、中央部４１が上端に位置する状態でケース２に固定される。弾性部材４は、中央部４１がケース２に固定されることにより、両端部を略下側に向けた状態でケース２に取り付けられる。以下の説明では、ケース２のうち中央部４１に下側から接する部位２２を、「支持部２２」と呼ぶ。支持部２２は、厚さ方向を向く中心軸を中心とする略円柱状である。
【００２３】
弾性部材４は、中央部４１の左右両側において、中央部４１から斜め下方に延びる一対の腕部４２を備える。一対の腕部４２の左右方向における間隔は、下方に向かうに従って大きくなる。一対の腕部４２は、中央部４１を通る中心線に対して略線対称である。図２に示す状態において、一対の腕部４２の成す角度は、０°よりも大きく、かつ、１８０°よりも小さい。図２に示す例では、当該角度は９０°よりも大きい。
【００２４】
図２中の右側の弾性部材４に注目すると、弾性部材４のうち、中央部４１から支持部２２の右側に延びる腕部４２は、上下方向に延びる端子部３に接触している。一対の腕部４２は、操作部５により下方に押されることにより、支持部２２の上端部を支点として弾性変形し、左右方向において互いに近づく方向に撓む。また、一対の腕部４２に対する下向きの押圧力がなくなると、一対の腕部４２は復元力により元の状態に戻る（すなわち、弾性復帰する）。
【００２５】
図２に示す状態では、弾性部材４の一方の腕部４２の先端が、上述のように、挿入穴２１よりも下側において端子部３に接触し、挿入穴２１の下端部を下側から閉鎖している。以下の説明では、図２に示す状態を「挿入穴閉鎖状態」と呼ぶ。また、挿入穴閉鎖状態は、挿入穴２１に電線が挿入される前の状態、すなわち、接続機器１が使用される前の初期状態である。挿入穴閉鎖状態（すなわち、初期状態）の弾性部材４は、一対の腕部４２が近づく向きに少し撓んでいる。これにより、弾性部材４がケース２から脱落することを防止することができる。
【００２６】
操作部５は、上下方向に延びる略柱状の部材である。操作部５は、ケース２に設けられた上下方向に延びる穴部（以下、「移動経路２４」と呼ぶ。）の内部に位置する。操作部５は、移動経路２４に沿って上下方向に移動可能である。移動経路２４は、ケース２の上面２５に開口し、当該上面２５から略下方に延びる。
【００２７】
操作部５は、上端部５１と、連結部５２と、一対の押圧部５３とを備える。上端部５１、連結部５２および一対の押圧部５３は、この順序で上側から下側に向かって繋がる一繋がりの部材である。操作部５は、例えば樹脂製である。操作部５の上端部５１は、例えば略直方体状の部位である。上端部５１の上面５１１は、上下方向に略垂直な平面である。上端部５１の上面５１１の中央部には、下向きに凹む操作凹部が設けられる。連結部５２は、上端部５１の下端から下方に延び、上端部５１と一対の押圧部５３とを連結する。連結部５２は、例えば、厚さ方向の幅が左右方向の幅よりも大きい略板状の部位である。
【００２８】
一対の押圧部５３は、連結部５２の下端から左右両側の斜め下方に延びる。換言すれば、一対の押圧部５３は、左右方向に離間して配置されて略上下方向に延びる。一対の押圧部５３の左右方向における間隔は、下方に向かうに従って大きくなる。換言すれば、一対の押圧部５３では、上方に向かうに従って左右方向の間隔（すなわち、一対の押圧部５３の内側面間の左右方向の距離）が小さくなる。一対の押圧部５３の内側面はそれぞれ、上下方向および左右方向に対して傾斜する傾斜面である。挿入穴閉鎖状態では、一対の押圧部５３のうち一方の押圧部５３の下端部は、弾性部材４の一対の腕部４２のうち一方の腕部４２の左右方向における外側面（すなわち、図２中における上面）に接触する。また、一対の押圧部５３の外側面がケース２の一部に接触することにより、操作部５の上方への移動が制限される。なお、挿入穴閉鎖状態では、一対の押圧部５３の双方の下端部が、一対の腕部４２の双方の外側面に接触してもよい。換言すれば、挿入穴閉鎖状態では、一対の押圧部５３のうち少なくとも一方の下端部が、一対の腕部４２の少なくとも一方の外側面に接触する。
【００２９】
上端部５１の左右方向の幅は、上端部５１の上下方向の略全長に亘って略一定である。連結部５２の左右方向の幅は、連結部５２の上下方向の略全長に亘って略一定である。上端部５１の左右方向の幅は、連結部５２の左右方向の幅よりも大きい。図２中の右側の操作部５に注目すると、当該操作部５の上端部５１は、連結部５２の上端から左側に突出する。一対の押圧部５３の下端の左右方向における間隔は、連結部５２の下端の左右方向の幅よりも大きい。連結部５２の左右両側の側面は、左右方向に略垂直であり、上下方向に略平行に延びる。
【００３０】
図２に示す挿入穴閉鎖状態では、操作部５の上端部５１の上面５１１は、ケース２の上面２５のうち操作部５の周囲の領域と略同一平面上に位置する。あるいは、操作部５の上端部５１の上面５１１は、ケース２の上面２５のうち操作部５の周囲の領域よりもケース２の内部（すなわち、当該領域よりも下側）に位置する。また、図３に示すように、操作部５の厚さ方向の両側面５１３は、ケース２の厚さ方向の両側面２６のうち操作部５の周囲の領域よりもケース２の内部に位置し、または、当該領域と略同一平面上に位置する。操作部５の他の表面についても同様である。換言すれば、図２に示す挿入穴閉鎖状態では、操作部５の表面は、ケース２の表面のうち操作部５の周囲の領域（すなわち、移動経路２４の周囲の領域）よりもケース２の内部に位置し、または、当該領域と略同一平面上に位置する。
【００３１】
次に、接続機器１に対する電線の接続の流れについて、図２、図４ないし図６を参照しつつ説明する。なお、以下では、図中の右側の挿入穴２１に電線を接続する際の様子について説明する。図中の左側の挿入穴２１に電線を接続する場合については、左右反対向きである点を除き、作業員の動作は略同様である。
【００３２】
まず、図２に示す挿入穴閉鎖状態から操作部５がケース２の内部に向かって押し込まれ、移動経路２４に沿って下方へと移動する。操作部５が押し込まれる際には、例えば、作業員が通常のマイナスドライバー等の先端を、操作部５の上端部５１の操作凹部に接触させ、当該マイナスドライバーを介して操作部５に下向きの力を加える。操作部５の下方への移動に従って、弾性部材４が撓んで弾性部材４の形状が変更される。具体的には、図４に示すように、弾性部材４の一対の腕部４２が、操作部５の一対の押圧部５３により下方へと押し下げられ、一対の腕部４２の左右方向における間隔が小さくなる。換言すれば、一対の腕部４２が左右方向において互いに近づく。右側の腕部４２は、端子部３から左側へと離間する。これにより、挿入穴２１の下端部が開放される。以下の説明では、図４に示す接続機器１の状態を「挿入穴開放状態」という。図４に示す状態において、一対の腕部４２の成す角度は、０°よりも大きく、かつ、１８０°よりも小さい。図４に示す例では、当該角度は９０°よりも小さい。
【００３３】
図４に示す挿入穴開放状態では、弾性部材４の一対の腕部４２が、左右方向において互いに近づく方向に撓んだ状態で、操作部５の一対の押圧部５３の間に挟持される。一対の押圧部５３の内側面は、一対の腕部４２の外側面に接触する。また、一対の腕部４２の下端は、一対の押圧部５３の下端よりも下側に位置する。弾性部材４の一対の腕部４２には、斜め上方へと戻ろうとする復元力が働く。当該復元力のうち水平方向（すなわち、左右方向）の分力により、一対の押圧部５３の内側面は左右方向（すなわち、互いに離れる方向）に押圧される。一対の押圧部５３は、実質的に弾性変形しないように形成されているため、弾性部材４の復元力の水平方向分力は、操作部５の一対の押圧部５３により受けられる。すなわち、弾性部材４の復元力が、操作部５の一対の押圧部５３により部分的に支持される。したがって、弾性部材４が操作部５を上向きに押す力が低減され、操作部５を下向きに押し込んだ状態で維持するために必要な作業員の力が軽減される。なお、一対の押圧部５３により支持される弾性部材４の復元力は、弾性部材４の全復元力よりも小さい。したがって、一対の押圧部５３による挟持のみにより、弾性部材４の一対の腕部４２が一対の押圧部５３の間に位置する状態が維持されることはない。
【００３４】
接続機器１では、一対の押圧部５３の内側面と一対の腕部４２の外側面との摩擦により、操作部５を押し込むマイナスドライバーを握る作業員の手に抵抗が生じる。したがって、作業員は、挿入穴閉鎖状態から挿入穴開放状態への移行完了を容易に認識することができる。
【００３５】
また、接続機器１では、図４に示す挿入穴開放状態への移行と略同時に、操作部５の上端部５１の下端が、ケース２の移動経路２４内に設けられた上下方向に略垂直な停止面２４２に上側から接触する。これにより、操作部５の下方への過剰な移動を制限することができる。また、操作部５の上端部５１と停止面２４２との接触による手応えおよび／または音の発生により、作業員は、挿入穴閉鎖状態から挿入穴開放状態への移行完了をさらに容易に認識することもできる。
【００３６】
図４に示す挿入穴開放状態では、操作部５の上端部５１の上面５１１は、ケース２の上面２５のうち操作部５の周囲の領域よりもケース２の内部（すなわち、当該領域よりも下側）に位置する。あるいは、操作部５の上端部５１の上面５１１は、ケース２の上面２５のうち操作部５の周囲の領域と略同一平面上に位置していてもよい。操作部５の他の表面についても同様である。換言すれば、図４に示す挿入穴開放状態では、操作部５の表面は、ケース２の表面のうち操作部５の周囲の領域（すなわち、移動経路２４の周囲の領域）よりもケース２の内部に位置し、または、当該領域と略同一平面上に位置する。
【００３７】
図４に示す挿入穴開放状態では、弾性部材４は、後述する結線状態の弾性部材４よりも撓んでおり、電線を端子部３との間で挟持しない。換言すれば、図４に示す接続機器１の状態である挿入穴開放状態は、弾性部材４と端子部３との間の電線の挟持が解除された「非結線状態」である。
【００３８】
続いて、弾性部材４が挿入穴開放状態にて維持された状態で、電線９１が、図４中に二点鎖線にて示すように接続機器１の挿入穴２１に挿入される。電線９１は、例えば単線であってもよく、より線であってもよい。また、電線９１は、先端部に棒状圧着端子等が設けられたより線であってもよい。電線９１の先端部の直径は、例えば、０．４２ｍｍ以上であることが好ましい。電線９１の先端部の直径は、現実的には、２．３ｍｍ以下である。電線９１の先端部の直径は、様々に変更されてよい。また、電線９１の先端部以外の部位の直径も、様々に変更されてよい。
【００３９】
電線９１は、挿入穴２１内にて下方へと移動され、図５に示すように、端子部３と挿入穴開放状態の弾性部材４との間に挿入される。その後、操作部５を押し込む作業員の力が弱められ、弾性部材４の復元力が、作業員の力と一対の押圧部５３による支持力との合計よりも大きくなることにより、弾性部材４の一対の腕部４２が斜め上方へと移動し、図６に示すように、一対の押圧部５３による挟持から離脱する。
【００４０】
また、弾性部材４の右側の腕部４２は、電線９１に左側から接触する。当該腕部４２は、上記復元力により、電線９１を端子部３に押し付けて端子部３との間で挟持する。これにより、電線９１と端子部３とが電気的かつ機械的に接続される。換言すれば、電線９１が接続機器１に結線される。以下の説明では、図６に示す状態を「結線状態」という。結線状態の弾性部材４は、上述のように、電線９１を端子部３との間で挟持している。接続機器１では、弾性部材４の一対の腕部４２の上記斜め上方への移動により、操作部５は、図５に示す挿入穴開放状態から上方に移動し、下端部が弾性部材４の一対の腕部４２の外側面に接触した状態で停止する。
【００４１】
図６に示す結線状態では、操作部５の上端部５１の上面５１１は、ケース２の上面２５のうち操作部５の周囲の領域よりもケース２の内部（すなわち、当該領域よりも下側）に位置する。あるいは、操作部５の上端部５１の上面５１１は、ケース２の上面２５のうち操作部５の周囲の領域と略同一平面上に位置していてもよい。操作部５の他の表面についても同様である。換言すれば、図６に示す結線状態では、操作部５の表面は、ケース２の表面のうち操作部５の周囲の領域（すなわち、移動経路２４の周囲の領域）よりもケース２の内部に位置し、または、当該領域と略同一平面上に位置する。
【００４２】
なお、図６に示す結線状態において、図６中の上側が重力方向下側となるように接続機器１が配置されている場合、操作部５は、重力により弾性部材４から図中の上方に離間する。そして、操作部５の一対の押圧部５３が、図２に示す挿入穴閉鎖状態と同様に、ケース２の一部に係止され、操作部５の上方への移動が制限される。したがって、操作部５が図２に示す位置よりも上側へと移動することが防止される。
【００４３】
電線９１を接続機器１から取り外す際には、例えば、作業員が通常のマイナスドライバー等の先端を、操作部５の上端部５１の操作凹部に接触させ、当該マイナスドライバーを介して操作部５に下向きの力を加える。そして、操作部５を下方に移動し、図５に示すように挿入穴開放状態とする。挿入穴開放状態では、上述のように、弾性部材４は撓んで右側の腕部４２は電線９１から左側へと離間する。換言すれば、弾性部材４および端子部３による電線９１の挟持が解除される。また、弾性部材４の一対の腕部４２は、操作部５の一対の押圧部５３により挟持され、弾性部材４の復元力の一部が一対の押圧部５３により支持される。
【００４４】
このときも、上記と同様に、作業員は、接続機器１が挿入穴開放状態（すなわち、非結線状態）となったことを容易に認識することができる。また、操作部５の上端部５１と停止面２４２との接触による手応えおよび／または音の発生により、接続機器１が挿入穴開放状態（すなわち、非結線状態）となったことをさらに容易に認識することができる。
【００４５】
接続機器１では、弾性部材４は、図２に示す挿入穴閉鎖状態と、図４および図５に示す挿入穴開放状態と、図６に示す結線状態との間で変形可能である。以下の説明では、図６に示すように、結線状態の弾性部材４に接触する操作部５の位置を「第１位置」と呼ぶ。また、図４および図５に示すように、挿入穴開放状態（すなわち、非結線状態）の弾性部材４に接触する操作部５の位置を「第２位置」と呼ぶ。さらに、図２に示すように、一対の押圧部５３がケース２の一部に係止される操作部５の位置を「第３位置」と呼ぶ。
【００４６】
上述の移動経路２４は、操作部５の第３位置、第１位置および第２位置をこの順に結ぶ。第３位置は、移動経路２４において、第１位置を挟んで第２位置とは反対側に位置する。第２位置では、上述のように、弾性部材４の一対の腕部４２が、操作部５の一対の押圧部５３により挟持される。第３位置では、一対の押圧部５３がケース２の一部に係止されることにより、操作部５の上方への移動（すなわち、第２位置から離れる方向への移動）が制限される。なお、第３位置では、操作部５の一部がケース２の一部に係止していればよく、必ずしも一対の押圧部５３がケース２の一部に係止する必要はない。
【００４７】
以上に説明したように、電線９１が接続される接続機器１は、ケース２と、端子部３と、弾性部材４と、操作部５とを備える。端子部３は、導電性であり、ケース２に固定される。弾性部材４は、ケース２に取り付けられる。弾性部材４は、復元力により電線９１を端子部３に押し付けて挟持する板バネである。操作部５は、ケース２に設けられた上下方向に延びる移動経路２４に沿って移動することにより、弾性部材４の形状を変更する。
【００４８】
弾性部材４は、電線９１を端子部３との間で挟持している結線状態と、結線状態よりも撓んで端子部３との間の電線９１の挟持が解除された非結線状態（すなわち、挿入穴開放状態）との間で変形可能である。操作部５は、第１位置において結線状態の弾性部材４に接触する。操作部５は、弾性部材４との接触状態を維持しつつ、第１位置よりも下側の第２位置へと押し込まれることにより、弾性部材４を非結線状態へと変形させる。弾性部材４は、上端に位置する折り曲げ部（すなわち、中央部４１）と、一対の腕部４２とを備える。一対の腕部４２は、中央部４１の左右両側において下方に延びる。一対の腕部４２の左右方向の間隔は、下方に向かうに従って大きくなる。
【００４９】
操作部５は、左右方向に離間して配置されて上下方向に延びる一対の押圧部５３を備える。一対の押圧部５３の左右方向の間隔は上方に向かうに従って小さくなる。操作部５が第１位置に位置する状態では、一対の押圧部５３のうち少なくとも一方の下端部が、一対の腕部４２のうち少なくとも一方の外側面に接触する。操作部５が第２位置に位置する状態では、一対の腕部４２が、左右方向において互いに近づく方向に撓んだ状態で、一対の押圧部５３の間に挟持される。これにより、操作部５をケース２内に押し込んだ状態（すなわち、非結線状態）で維持する力を低減することができる。その結果、接続機器１の操作性を向上することができる。
【００５０】
上述のように、接続機器１では、好ましくは、非結線状態の弾性部材４の復元力により、一対の押圧部５３の内側面が一対の腕部４２により左右方向に押圧され、一対の押圧部５３は、弾性部材４の復元力を部分的に支持する。このため、非結線状態の接続機器１に電線９１を結線する際に、マイナスドライバー等により操作部５を下向きに押す力を緩めることにより、操作部５を第２位置から第１位置へと容易に移動させ、弾性部材４の腕部４２と端子部３との間に電線９１を容易に挟持させることができる。また、接続機器１から電線９１を抜き取った後、弾性部材４を非結線状態（すなわち、挿入穴開放状態）から挿入穴閉鎖状態へと戻す際にも同様に、マイナスドライバー等により操作部５を下向きに押す力を緩めることにより、操作部５を第２位置から第３位置へと容易に移動させることができる。したがって、電線９１の結線の際、あるいは、電線９１の結線解除の際に、マイナスドライバー等を移動経路２４に繰り返し挿入する必要がないため、接続機器１の操作性を向上することができる。
【００５１】
上述のように、操作部５が第２位置に位置する状態では、一対の腕部４２の成す角度は、０°よりも大きく、かつ、１８０°よりも小さい。これにより、一対の押圧部５３に挟持された状態の弾性部材４において、弾性部材４の復元力が、一対の押圧部５３により支持される水平成分と、操作部５を上方へと押し返す垂直成分とを有する。したがって、操作部５をケース２内に押し込んだ状態（すなわち、非結線状態）で維持する力を低減することができるとともに、操作部５を押し込む力を緩めた際の一対の腕部４２の斜め上方への移動を可能とすることができる。なお、この場合、操作部５が第２位置に位置する状態において、一対の腕部４２の下端は、一対の押圧部５３の下端と同じ位置であってもよく、一対の押圧部５３の下端よりも上側または下側に位置していてもよい。
【００５２】
上述のように、操作部５が第２位置に位置する状態では、一対の腕部４２の下端は、一対の押圧部５３の下端よりも下側に位置する。これにより、一対の押圧部５３に挟持された状態の弾性部材４において、弾性部材４の復元力が、一対の押圧部５３により支持される水平成分と、操作部５を上方へと押し返す垂直成分とを有する。したがって、操作部５をケース２内に押し込んだ状態（すなわち、非結線状態）で維持する力を低減することができるとともに、操作部５を押し込む力を緩めた際の一対の腕部４２の斜め上方への移動を可能とすることができる。なお、この場合、操作部５が第２位置に位置する状態において、一対の腕部４２の成す角度は０°であってもよい。接続機器１では、操作部５が第２位置に位置する状態では、一対の腕部４２の成す角度が０°よりも大きくかつ１８０°よりも小さいこと、および、一対の腕部４２の下端が一対の押圧部５３の下端よりも下側に位置することのうち、少なくとも一方が満たされていることが好ましい。
【００５３】
接続機器１では、図７に示すように、一対の押圧部５３の左右方向の間隔（すなわち、一対の押圧部５３の内側面間の左右方向の距離）は、上下方向の略全長に亘って略一定であってもよい。図７に例示するように、操作部５が第２位置に位置する状態では、一対の腕部４２の下端は、一対の押圧部５３の下端よりも下側に位置する。一対の腕部４２は、左右方向において互いに近づく方向に撓んだ状態で、一対の押圧部５３の間に挟持される。これにより、上記と同様に、操作部５をケース２内に押し込んだ状態（すなわち、非結線状態）で維持する力を低減することができる。その結果、接続機器１の操作性を向上することができる。すなわち、接続機器１では、操作部５は、左右方向に離間して配置されて上下方向に延びるとともに、上方に向かうに従って左右方向の間隔が小さくなる、または、左右方向の間隔が一定な一対の押圧部５３を備えていればよい。
【００５４】
接続機器１では、図８に示すように、操作部５の一対の押圧部５３の内側面に凸部５３１が設けられ、弾性部材４の一対の腕部４２に凹部４２１が設けられてもよい。当該凹部４２１は、操作部５が上述の第２位置に位置する状態（すなわち、非結線状態）で、押圧部５３の凸部５３１と嵌合する。これにより、操作部５をケース２内に押し込んだ状態で維持する力をさらに低減することができる。なお、凸部５３１は一方の押圧部５３のみに設けられ、凹部４２１も一方の腕部４２のみに設けられてもよい。
【００５５】
また、接続機器１では、操作部５の一対の押圧部５３に凹部が設けられ、弾性部材４の一対の腕部４２に凸部が設けられてもよい。換言すれば、接続機器１では、一対の押圧部５３および一対の腕部４２のうち一方が凸部を有し、一対の押圧部５３および一対の腕部４２のうち他方が、操作部５が第２位置に位置する状態（すなわち、非結線状態）で当該凸部と嵌合する凹部を有することが好ましい。これにより、上述のように、操作部５をケース２内に押し込んだ状態（すなわち、非結線状態）で維持する力をさらに低減することができる。その結果、接続機器１の操作性をさらに向上することができる。なお、この場合であっても、操作部５を押し込む力を緩めると、弾性部材４の復元力により、操作部５は上方へと移動し、一対の腕部４２は斜め上方へと移動する。
【００５６】
接続機器１では、図９に太線にて示すように、一対の押圧部５３の内側面に粗面部５３２が設けられ、一対の腕部４２の外側面に粗面部４２２が設けられてもよい。粗面部５３２および粗面部４２２はそれぞれ、周囲の部位よりも表面粗度が大きい領域である。粗面部５３２と粗面部４２２とが接触することにより、一対の押圧部５３と一対の腕部４２との間の摩擦抵抗が増大するため、操作部５をケース２内に押し込んだ状態で維持する力をさらに低減することができる。なお、粗面部５３２は一方の押圧部５３のみに設けられ、粗面部４２２も一方の腕部４２のみに設けられてもよい。
【００５７】
接続機器１では、一対の押圧部５３の内側面、および、一対の腕部４２の外側面のうち、少なくとも一方の面が粗面部を有していればよい。この場合であっても、一対の押圧部５３と一対の腕部４２との間の摩擦抵抗が増大するため、操作部５をケース２内に押し込んだ状態（すなわち、非結線状態）で維持する力をさらに低減することができる。その結果、接続機器１の操作性をさらに向上することができる。なお、この場合であっても、操作部５を押し込む力を緩めると、弾性部材４の復元力により、操作部５は上方へと移動し、一対の腕部４２は斜め上方へと移動する。
【００５８】
上述の接続機器１では、様々な変更が可能である。
【００５９】
例えば、接続機器１では、端子部３、弾性部材４および操作部５の形状は様々に変更されてよい。図１０は、上述の例とは異なる形状の弾性部材４ａを備える接続機器１の一部を拡大して示す断面図である。弾性部材４ａでは、中央部４１と一対の腕部４２との間に、一対の中間部４３が設けられている。一対の中間部４３はそれぞれ、中央部４１から斜め上方へと延びる。一対の腕部４２は、一対の中間部４３の上端部から斜め下方へと延びる。一対の中間部４３は、中央部４１から斜め下方へと延びた後、上向きに湾曲して斜め上方へと延びてもよい。換言すれば、弾性部材４ａでは、一対の腕部４２の間の部位は、中央部４１を左右方向の中心として湾曲し、または、波うっている
接続機器１では、第１位置、第２位置および第３位置に位置する操作部５の表面が、ケース２の表面のうち操作部５の周囲の領域よりも外側に突出していてもよい。
【００６０】
接続機器１では、操作部５の一対の押圧部５３の内側面、および、弾性部材４の一対の腕部４２に、上述の互いに嵌合する凸部および凹部と、上記粗面部との双方が設けられてもよい。
【００６１】
上述の接続機器１は、様々な装置において電線を接続するために利用されてよい。例えば、接続機器１は、リレーソケットまたは操作スイッチ等に利用されてよい。
【００６２】
上記実施の形態および各変形例における構成は、相互に矛盾しない限り適宜組み合わされてよい。
【符号の説明】
【００６３】
１    接続機器
２    ケース
３    端子部
４，４ａ    弾性部材
５    操作部
２４    移動経路
４１    中央部
４２    腕部
５３    押圧部
９１    電線
４２１    凹部
４２２    粗面部
５３１    凸部
５３２    粗面部
【図１】
2020181714.tif 000003
【図２】
2020181714.tif 000004
【図３】
2020181714.tif 000005
【図４】
2020181714.tif 000006
【図５】
2020181714.tif 000007
【図６】
2020181714.tif 000008
【図７】
2020181714.tif 000009
【図８】
2020181714.tif 000010
【図９】
2020181714.tif 000011
【図１０】
2020181714.tif 000012